(57)【要約】      （修正有）【課題】従来の布屑引導装置は、布屑を引導除去する効用になるが、引導装置の移動に、確実にできなく、長時間使用となれば、ますます布屑の除去も満足にできなくなる。ミシン機から的確な密着や脱出ができる布屑引導装置を提供する。【解決手段】ガイドレール式布屑引導装置１００の構造は、１つの引導管１と、１つの引導托管２で構成される。引導管には、１つの積み込め部１１、布屑吸収入口と、１つの直管部１２、底板１５の凸透体１３に挿入取り付け、挿入深さより高さ調整される。引導托管は、巻き導管２４と、引導托板でなり、引導托板は、ガイドレール板２３と、固定部材２２でなり、前記底板には、引導管１側に活動部材１４を設け、活動部材には、パッキン押さえを有し、底板と引導托板を、パッキン押さえより、結合一体とし、活動部材と、ガイドレールと、固定部材の作動より、底板が、引導托板に密着嵌め付けし、的確な密着や脱出ができる。【選択図】図１
0003156343.tif 000002
【実用新案登録請求の範囲】
【請求項１】
ガイドレール式布屑引導装置であって、その構造は、１つの引導管と、１つの引導托管で構成され、引導管には、１つの積み込め部、布屑吸収入口でありと、１つの直管部、底板の凸透体に挿入取り付け、挿入深さより高さ調整られとなり、引導托管には、巻き導管と、引導托板でなり、引導托板には、ガイドレール板と、固定部材でなり、前記底板には、１側に活動部材を設け、活動部材には、パッキン押さえを有し、底板と引導托板を、パッキン押さえより、結合一体となり、活動部材と、ガイドレールと、固定部材の作動より、底板が、引導托板に密着嵌め付け、的確な密着や脱出ができるで構成されることを特徴とするガイドレール式布屑引導装置。
【請求項２】
前記凸透体の傍に１つの挟付部を延設して、なかに、ねじボルトを設け、引導管の高さを固定することを特徴とする請求項１に記載のガイドレール式布屑引導装置。
【請求項３】
前記ガイドレール式布屑引導装置は引導管と引導托管で構成され、パッキン押さえを利用して、結合一体に固定することを特徴とする請求項１に記載のガイドレール式布屑引導装置。
【請求項４】
前記底板は活動部材のガイドでミシン機から脱出られ、機器の保全と、部品の装着や取り外すと、縫い糸の切り替え等に役立つことを特徴とする請求項１に記載のガイドレール式布屑引導装置。
【考案の詳細な説明】
【技術分野】
【０００１】
この考案はミシン作動に発生された布屑をまとまるに使用する布屑引導装置に関する。
【背景技術】
【０００２】
従来の布屑引導装置は、引導管と、引導托管で構成される。引導托管と傍に設けた、螺設の活動板或いは引導托板で、布屑引導装置を移動させる（中華民国特許公報Ｍ３４０２９５号、Ｍ３５１８８２号）。
前述従来の引導装置は、部材が密着取り付けできないので、長時間経ってば、緩みを生じ、布屑を有効的に除去できなく、周辺まで汚れになって、作業員に影響を及ぼす。
【考案の開示】
【考案が解決しようとする課題】
【０００３】
前述従来の布屑引導装置は、布屑を引導除去する効用になるが、引導装置の移動に、確実にできなく、長時間使用となれば、ますます布屑の除去も満足にできなくなる。
この考案は、以上の問題を解決する、ミシン機から的確な密着や脱出ができる、の布屑引導装置を提供することを課題とする。
【課題を解決するための手段】
【０００４】
そこで、本考案者は従来の技術に見られる欠点に鑑み鋭意研究を重ねた結果、ガイドレール式布屑引導装置の構造は、１つの引導管と、１つの引導托管で構成される、引導管には、１つの積み込め部、布屑吸収入口でありと、１つの直管部、底板の凸透体に挿入取り付け、挿入深さより高さ調整られとなり、引導托管には、巻き導管と、引導托板でなり、引導托板には、ガイドレール板と、固定部材でなり、前記底板には、１側に活動部材を設け、活動部材には、パッキン押さえを有し、底板と引導托板を、パッキン押さえより、結合一体となり、活動部材と、ガイドレールと、固定部材の作動より、底板が、引導托板に密着嵌め付け、的確な密着や脱出ができるで構成される。
【考案の効果】
【０００５】
この考案によれば、布屑引導装置は、活動部材と、ガイドレールと、固定部材の作動より、底板が、引導托板に密着嵌め付け、的確な密着や脱出ができる、装置の移動は迅速と密着になり、底板のミシン機から脱著が便利ので、部材の保全も容易となる。
【実施例】
【０００６】
図１に、この考案のガイドレール式布屑引導装置の実施例より構造の説明図を開示する。図面によれば、この考案によるガイドレール式布屑引導装置１００の構造は、１つの引導管１と、１つの引導托管２で構成される、引導管１には、１つの積み込め部１１、布屑吸収入口でありと、１つの直管部１２、底板１５の凸透体１３に挿入取り付け、挿入深さより高さ調整られとなり、引導托管２には、巻き導管２４と、引導托板２１でなり、引導托板２１には、ガイドレール板２３と、固定部材２２でなり、前記底板１５には、１側に活動部材１４を設け、活動部材１４には、パッキン押さえ１４１を有し、底板１５と引導托板２１を、パッキン押さえ１４１より、結合一体となり、活動部材１４と、ガイドレール２３と、固定部材２２の作動より、底板１５が、引導托板２１に密着嵌め付け、的確な密着や脱出ができるで構成される。
図２に、この考案のガイドレール式布屑引導装置の実施例より構造の斜視図を開示する。図面によれば、この考案によるガイドレール式布屑引導装置１００の構造は、引導管１と、引導托管２で構成され、パッキン押さえ１４１より、結合一体なりで、ガイドレール式布屑引導装置となる。
図３に、この考案のガイドレール式布屑引導装置の実施例より組立の説明図を開示する。図面によれば、この考案によるガイドレール式布屑引導装置１００は、ミシン布台３に取り付けて、作動することである。
図４，５，６に、この考案のガイドレール式布屑引導装置の実施例より作動の説明図を開示する。図面によれば、この考案によるガイドレール式布屑引導装置１００は、活動部材１４が底板１５を、引導托板２１の引導レール板２３と固定部材２２に密着嵌め付け、的確な密着や脱出ができるで構成される。
図７，８に、この考案のガイドレール式布屑引導装置の実施例より作動実施の説明図を開示する。図面によれば、この考案によるガイドレール式布屑引導装置１００は、活動部材１４が底板１５を、ミシン機４から的確な密着や脱出ができるで構成されておる。
【図面の簡単な説明】
【０００７】
【図１】この考案のガイドレール式布屑引導装置の構造の説明図である。
【図２】この考案のガイドレール式布屑引導装置の構造の斜視図である。
【図３】この考案のガイドレール式布屑引導装置の組立の説明図である。
【図４】この考案のガイドレール式布屑引導装置の作動１の説明図である。
【図５】この考案のガイドレール式布屑引導装置の作動２の説明図である。
【図６】この考案のガイドレール式布屑引導装置の作動３の説明図である。
【図７】この考案のガイドレール式布屑引導装置の作動実施１の説明図である。
【図８】この考案のガイドレール式布屑引導装置の作動実施２の説明図である。
【符号の説明】
【０００８】
１００     ガイドレール式布屑引導装置
１         引導管
１１       積み込め部
１２       直管部
１３       凸透体
１４       活動部材
１４１     パッキン押さえ
１５       底板
２         引導托管
２１       引導托板
２２       固定部材
２３       ガイドレール板
２４       巻き導管
３         ミシン布台
４         ミシン機
【図１】
0003156343.tif 000003
【図２】
0003156343.tif 000004
【図３】
0003156343.tif 000005
【図４】
0003156343.tif 000006
【図５】
0003156343.tif 000007
【図６】
0003156343.tif 000008
【図７】
0003156343.tif 000009
【図８】
0003156343.tif 000010